【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
高温流体を導入する第一管体部と、
低温流体を導入する第二管体部と、
前記第一管体部と前記第二管体部とを仕切る仕切り板を設置し、前記第一管体部および前記第二管体部を締結する締結部と、
を備え、前記第一管体部の高温流体と前記第二管体部の低温流体の温度差により前記締結部に温度傾斜を生じさせることを特徴とする実験装置。
【請求項２】
前記締結部は、前記仕切り板と前記第一管体部の間、前記仕切り板と前記第二管体部の間のそれぞれに配置されたガスケットと、
前記第一管体部および前記第二管体部のフランジを締結する複数のボルトと、
を含むことを特徴とする請求項１に記載の実験装置。
【請求項３】
さらに、前記第一管体部は、前記高温流体を加熱する加熱部と、前記高温流体の温度を検出する温度検出部とを備えることを特徴とする請求項１に記載の実験装置。
【請求項４】
さらに、前記ボルトは、軸力を検出する軸力検出部と、温度を検出する温度検出部と、を備えることを特徴とする請求項２に記載の実験装置。
【請求項５】
さらに、前記第二管体部に低温流体を導入する第一ポート部と、
前記第二管体部から前記低温流体を排出する第二ポート部と、
前記第一ポート部に接続されて低温流体を供給する低温流体供給部と、
を備えることを特徴とする請求項１に記載の実験装置。
【請求項６】
前記第一管体部および前記第二管体部が設置される筐体部と、
前記低温流体を溜めるタンクと、
前記低温流体を前記第二管体部に供給するポンプと、
を備えることを特徴とする請求項１に記載の実験装置。
【請求項７】
請求項１、２、５または６に記載された実験装置と、
前記第一管体部のフランジ、前記第二管体部のフランジ、前記高温流体、前記低温流体の何れかまたは二以上の温度を検出する温度検出部と、
各ボルトの軸力を検出する軸力検出部と、
前記温度検出部から前記検出温度、前記軸力検出部から前記検出軸力の検出情報を取り込み、時間情報、検出位置または検出部材に関係付け、前記検出温度および前記検出軸力の前記検出情報から提示情報を生成する処理部と、
前記提示情報を画像で提示する情報提示部と、
を備えることを特徴とする実験システム。
【請求項８】
前記第二管体部の前記低温流体の液位を検出する液位検出部を備え、該液位検出部による検出液位を前記処理部に提供して前記情報提示部に提示することを特徴とする請求項７に記載の実験システム。
【請求項９】
前記第二管体部の前記低温流体の液位を調整する液位調整部と、
を備えることを特徴とする請求項７に記載の実験システム。
【請求項１０】
コンピュータで実現するためのプログラムであって、
第一管体部に導入した高温流体を昇温させる機能と、
第二管体部に低温流体の導入タイミングを設定する機能と、
前記第一管体部側のフランジ、前記第二管体部側のフランジ、前記高温流体、前記低温流体の何れかまたは二以上の検出温度、前記第一管体部および前記第二管体部のフランジ間を締結する各ボルトの検出軸力を連続、定期または不定期に検出部材または検出位置を表す情報に関係付けて取り込む機能と、
前記検出温度または前記検出軸力の提示情報を生成する機能と、
前記検出温度または前記検出軸力を検出タイミング、前記検出部材または前記検出位置を表す情報に関係付けて情報提示部に提示する機能と、
を前記コンピュータにより実現するためのプログラム。
【請求項１１】
高温流体を導入する第一管体部と、低温流体を導入する第二管体部との間を仕切る仕切り板を設置し、前記第一管体部および前記第二管体部を締結部により締結する工程と、
前記第一管体部に高温流体を導入して昇温させる工程と、
前記第二管体部に低温流体を導入し、該低温流体と前記高温流体の温度差により前記締結部に温度傾斜を生じさせる工程と、
前記締結部にある前記第一管体部のフランジ、前記第二管体部のフランジ、前記高温流体、前記低温流体の何れかまたは二以上の温度を検出し、該検出温度を、検出部材を表す情報に関係付けて取り込む工程と、
各ボルトの軸力を検出し、該検出軸力を前記フランジ上の検出位置を表す情報に関係付けて取り込む工程と、
を含むことを特徴とする実験方法。
【請求項１２】
請求項１ないし請求項６の何れかの請求項に記載された実験装置に実験条件を設定する工程と、
高温流体で前記第一管体部を高温化した後、その高温状態を維持しながら、前記第二管体部に低温流体を導入し、前記第二管体部側から前記締結部を冷却する工程と、
前記実験装置の前記第一管体部のフランジ、前記第二管体部のフランジ、前記高温流体、前記低温流体の何れかまたは二以上の温度を検出し、該検出温度を検出部材または検出位置を表す情報に関係付けて取り込む工程と、
各ボルトの軸力を検出し、該検出軸力を前記フランジ上の検出位置を表す情報に関係付けて取り込む工程と、
前記検出温度、前記検出軸力の検出情報を取り込み、時間情報、検出位置または検出部材に関係付け、前記検出温度および前記検出軸力の前記検出情報から提示情報を生成する工程と、
前記提示情報を画像で提示する工程と、
実験結果を評価する工程と、
を含むことを特徴とする学習方法。
【手続補正２】
【補正対象書類名】明細書
【補正対象項目名】０００６
【補正方法】変更
【補正の内容】
【０００６】
上記目的を達成するため、本発明の実験装置の一側面によれば、高温流体を導入する第一管体部と、低温流体を導入する第二管体部と、前記第一管体部と前記第二管体部とを仕切る仕切り板を設置し、前記第一管体部および前記第二管体部を締結する締結部とを備え、前記第一管体部の高温流体と前記第二管体部の低温流体の温度差により前記締結部に温度傾斜を生じさせる。
この実験装置において、前記締結部は、前記仕切り板と前記第一管体部の間、前記仕切り板と前記第二管体部の間のそれぞれに配置されたガスケットと、前記第一管体部および前記第二管体部のフランジを締結する複数のボルトとを含んでよい。
この実験装置において、さらに、前記第一管体部は、前記高温流体を加熱する加熱部と、前記高温流体の温度を検出する温度検出部とを備えてよい。
さらに、前記ボルトは、軸力を検出する軸力検出部と、温度を検出する温度検出部と、を備えてよい。
この実験装置において、さらに、前記第二管体部に低温流体を導入する第一ポート部と、前記第二管体部から前記低温流体を排出する第二ポート部と、前記第一ポート部に接続されて低温流体を供給する低温流体供給部とを備えてよい。
この実験装置において、前記第一管体部および前記第二管体部が設置される筐体部と、前記低温流体を溜めるタンクと、前記低温流体を前記第二管体部に供給するポンプとを備えてよい。
【手続補正３】
【補正対象書類名】明細書
【補正対象項目名】０００７
【補正方法】変更
【補正の内容】
【０００７】
上記目的を達成するため、本発明の実験システムの一側面によれば、既述の何れかの実験装置と、前記第一管体部のフランジ、前記第二管体部のフランジ、前記高温流体、前記低温流体の何れかまたは二以上の温度を検出する温度検出部と、各ボルトの軸力を検出する軸力検出部と、前記温度検出部から前記検出温度、前記軸力検出部から前記検出軸力の検出情報を取り込み、時間情報、検出位置または検出部材に関係付け、前記検出温度および前記検出軸力の前記検出情報から提示情報を生成する処理部と、前記提示情報を画像で提示する情報提示部とを備える。
この実験システムにおいて、前記第二管体部の前記低温流体の液位を検出する液位検出部を備え、該液位検出部による検出液位を前記処理部に提供して前記情報提示部に提示してよい。
この実験システムにおいて、前記第二管体部の前記低温流体の液位を調整する液位調整部とを備えてよい。
【手続補正４】
【補正対象書類名】明細書
【補正対象項目名】０００８
【補正方法】変更
【補正の内容】
【０００８】
上記目的を達成するため、本発明のプログラムの一側面によれば、コンピュータで実現するためのプログラムであって、第一管体部に導入した高温流体を昇温させる機能と、第二管体部に低温流体の導入タイミングを設定する機能と、前記第一管体部側のフランジ、前記第二管体部側のフランジ、前記高温流体、前記低温流体の何れかまたは二以上の検出温度、前記第一管体部および前記第二管体部のフランジ間を締結する各ボルトの検出軸力を連続、定期または不定期に検出部材または検出位置を表す情報に関係付けて取り込む機能と、前記検出温度または前記検出軸力の提示情報を生成する機能と、前記検出温度または前記検出軸力を検出タイミング、前記検出部材または前記検出位置を表す情報に関係付けて情報提示部に提示する機能とを前記コンピュータにより実現する。
【手続補正５】
【補正対象書類名】明細書
【補正対象項目名】０００９
【補正方法】変更
【補正の内容】
【０００９】
上記目的を達成するため、本発明の実験方法の一側面によれば、高温流体を導入する第一管体部と、低温流体を導入する第二管体部との間を仕切る仕切り板を設置し、前記第一管体部および前記第二管体部を締結部により締結する工程と、前記第一管体部に高温流体を導入して昇温させる工程と、前記第二管体部に低温流体を導入し、該低温流体と前記高温流体の温度差により前記締結部に温度傾斜を生じさせる工程と、前記締結部にある前記第一管体部のフランジ、前記第二管体部のフランジ、前記高温流体、前記低温流体の何れかまたは二以上の温度を検出し、該検出温度を、検出部材を表す情報に関係付けて取り込む工程と、各ボルトの軸力を検出し、該検出軸力を前記フランジ上の検出位置を表す情報に関係付けて取り込む工程とを含む。
【手続補正６】
【補正対象書類名】明細書
【補正対象項目名】００１０
【補正方法】変更
【補正の内容】
【００１０】
上記目的を達成するため、本発明の学習方法の一側面によれば、既述の実験装置に実験条件を設定する工程と、高温流体で前記第一管体部を高温化した後、その高温状態を維持しながら、前記第二管体部に低温流体を導入し、前記第二管体部側から前記締結部を冷却する工程と、前記実験装置の前記第一管体部のフランジ、前記第二管体部のフランジ、前記高温流体、前記低温流体の何れかまたは二以上の温度を検出し、該検出温度を検出部材または検出位置を表す情報に関係付けて取り込む工程と、各ボルトの軸力を検出し、該検出軸力を前記フランジ上の検出位置を表す情報に関係付けて取り込む工程と、前記検出温度、前記検出軸力の検出情報を取り込み、時間情報、検出位置または検出部材に関係付け、前記検出温度および前記検出軸力の前記検出情報から提示情報を生成する工程と、前記提示情報を画像で提示する工程と、実験結果を評価する工程とを含む。
【手続補正７】
【補正対象書類名】明細書
【補正対象項目名】００１７
【補正方法】変更
【補正の内容】
【００１７】
〔第１の実施の形態〕
＜実験装置＞
図１のＡは第１の実施の形態に係る実験装置の概要を示し、図１のＢは装置本体の断面を示している。図１のＡ、Ｂに示す構成は一例であり、斯かる構成に本発明が限定されるものではない。
この実験装置２には第一管体部４、第二管体部６および締結部８が備えられ、装置本体１０が構成されている。
第一管体部４には、管本体１２、フランジ１４−１、閉塞板１６、加熱部１８および温度検出部２０−１が備えられ、高温流体２２が導入される。高温流体２２にはたとえば、加熱流体、熱媒体油、加熱オイルなどを用いればよい。
第二管体部６には管本体２４の前端側のフランジ１４−２、管本体２４、閉塞板２６、温度検出部２０−２および液位検出部２８が備えられ、低温流体３０が導入される。低温流体３０にはたとえば、冷却流体、冷水、液体窒素、不凍液などを用いればよい。第二管体部６には低温流体３０を導入するための第一ポート部として導入ポート３２、低温流体３０を排出させるための第二ポート部として排出ポート３４が備えられる。閉塞板２６はたとえば、透明部材で構成され、液位検出部２８はたとえば、カメラで構成し、低温流体３０の撮影でその液位を検出できる。
【手続補正８】
【補正対象書類名】明細書
【補正対象項目名】００２３
【補正方法】変更
【補正の内容】
【００２３】
＜情報収集部５２による収集情報＞
この情報収集部５２には実験装置２から検出される軸力、ボルト温度、フランジ温度、加熱流体温度などの高温流体温度、冷却流体温度などの低温流体温度が連続的に取り込まれる。
＜処理部５４の処理＞
この処理部５４の制御には、情報取込み処理６８、タイミング生成７０、読込み・読出し処理７２、情報提示処理７４が含まれる。
ａ）情報取込み処理６８
この情報取込み処理６８では情報収集部５２から温度検出部２０−１、２０−２、２０−３、２０−４、２０−５の検出温度、軸力検出部４６の検出軸力などの検出情報の取込みを行い、各検出情報は検出位置、検出部材、検出タイミング（時間）などの識別情報に関係付けられて取り込まれる。
【手続補正９】
【補正対象書類名】明細書
【補正対象項目名】００２８
【補正方法】変更
【補正の内容】
【００２８】
このように、高温流体２２の導入、その温度制御、低温流体３０の導入に至る実験状態において、実験装置２から高温流体温度、低温流体温度、フランジ温度、ボルト温度および軸力の各検出情報を取込み（Ｓ１１０）、実験情報ファイルを生成して実験情報として検出情報を格納する（Ｓ１１１）。既述したように、各実験情報は検出位置、検出部材の識別情報、検出タイミング情報に関係付けられて格納される。
処理部５４は、実験情報から検出情報の推移を表す提示情報を生成する（Ｓ１１２）。この提示情報について、情報提示部６０に検出情報を画像で表示する（Ｓ１１３）。
そして、実験結果から評価情報を生成させる（Ｓ１１４）。この評価情報を画像や文字情報として表示してもよい。
【手続補正１０】
【補正対象書類名】明細書
【補正対象項目名】００３９
【補正方法】変更
【補正の内容】
【００３９】
＜冷水温度情報ファイル１７０＞
図１０のＢは、冷水温度情報ファイル１７０を示している。この冷水温度情報ファイル１７０には識別情報に関係付けられて冷水ＬＷの温度情報（低温流体温度７８）が格納される。この冷水温度情報ファイル１７０は、装置本体１０毎にまたは締結部８のガスケット３８毎に作成されるファイル１７０−１、１７０−２、１７０−３、・・・の集合体である。
この冷水温度情報ファイル１７０には識別情報部１９２、名称部１９４、材質部１９６、時間部１９８、温度部２００が備えられる。識別情報部１９２には冷水ＬＷを識別するＩＤなどの識別情報が格納される。名称部１９４には冷水ＬＷを特定するための名称が格納される。材質部１９６には冷水ＬＷの材質を格納すればよい。時間部１９８には既述の時間部１８８と同様に実験の日時、計測時などの時間情報が格納される。温度部２００には既述の温度部１９０と同様に日時で特定される温度の計測値などが格納される。
【手続補正１１】
【補正対象書類名】明細書
【補正対象項目名】００４０
【補正方法】変更
【補正の内容】
【００４０】
＜フランジ温度情報ファイル１７２−１＞
図１０のＣは、フランジ温度情報ファイル１７２−１を示している。このフランジ温度情報ファイル１７２−１には識別情報に関係付けられてフランジ１４−１の温度情報（フランジ温度８０−１）が格納される。このフランジ温度情報ファイル１７２−１は、装置本体１０毎にまたは締結部８のガスケット３８毎に作成されるファイル１７２−１１、１７２−１２、１７２−１３、・・・の集合体である。
このフランジ温度情報ファイル１７２−１には識別情報部２０２、位置部２０４、時間部２０６、温度部２０８が備えられる。識別情報部２０２にはフランジ１４−１を識別するＩＤなどの識別情報が格納される。位置部２０４にはボルト位置などの位置情報が格納される。時間部２０６には既述の時間部１８８と同様に実験の日時、計測時などの時間情報が格納される。温度部２０８には既述の温度部１９０と同様に日時で特定される温度の計測値などが格納される。
【手続補正１２】
【補正対象書類名】明細書
【補正対象項目名】００４１
【補正方法】変更
【補正の内容】
【００４１】
＜フランジ温度情報ファイル１７２−２＞
図１０のＤは、フランジ温度情報ファイル１７２−２を示している。このフランジ温度情報ファイル１７２−２には識別情報に関係付けられてフランジ１４−２の各温度情報（フランジ温度８０−２）が格納される。このフランジ温度情報ファイル１７２−２は、装置本体１０毎にまたは締結部８のガスケット３８毎に作成されるファイル１７２−２１、１７２−２２、１７２−２３、・・・の集合体である。
このフランジ温度情報ファイル１７２−２にはフランジ温度情報ファイル１７２−１と同様に、識別情報部２０２、位置部２０４、時間部２０６、温度部２０８が備えられる。識別情報部２０２にはフランジ１４−２を識別するＩＤなどの識別情報が格納される。位置部２０４にはボルト位置などの位置情報が格納される。時間部２０６には既述の時間部１８８と同様に実験の日時、計測時などの時間情報が格納される。温度部２０８には既述の温度部１９０と同様に日時で特定される温度の計測値などが格納される。
【手続補正１３】
【補正対象書類名】明細書
【補正対象項目名】００５２
【補正方法】変更
【補正の内容】
【００５２】
＜軸力の変化と温度変化の関係＞
図１４のＡは、加熱中から冷却後の軸力残留率の時間的変化を示している。
図１４のＡにおいて、Ａ１は加熱中の軸力を示し、Ａ２は冷却開始直後の軸力の過渡的変化を示している。
図１４のＢにおいて、Ａ１は図１４のＡのＡ１に対応する加熱状態、Ａ２は図１４のＡのＡ２に対応する冷却直後の加熱から冷却への温度遷移を示している。
図１４のＢにおいて、「（Ｈ）」は高温状態、「（Ｌ）」は低温状態を示しており、このような温度分布により高温から低温への以降状態を示している。
【手続補正１４】
【補正対象書類名】明細書
【補正対象項目名】００５６
【補正方法】変更
【補正の内容】
【００５６】
＜実験システム５０＞
図１８は、実施例３に係る実験システム５０を示している。この実験システム５０において、図２と同一部分には同一符号を付してある。
実施例３に係る制御部２３０は、既述の情報収集部５２および処理部５４の機能を備えている。この制御部２３０では、第２の実施の形態で説明した処理に加え、加熱流体加熱処理などの高温流体加熱処理、冷却流体供給処理などの低温流体供給処理、液位調整処理などの処理が含まれる。
【手続補正１５】
【補正対象書類名】明細書
【補正対象項目名】００５７
【補正方法】変更
【補正の内容】
【００５７】
ｅ）高温流体加熱処理２３２
この高温流体加熱処理２３２は、加熱部１８の駆動制御を行い、高温流体２２の温度を実験条件に適合させる。
ｆ）低温流体供給処理２３４
この低温流体供給処理２３４では、低温流体３０の供給タイミングに基づき、所定量ないし所定流量で低温流体３０を第二管体部６に供給し、実験条件に適合させる。
ｇ）液位調整処理２３６
この液位調整処理２３６では低温流体供給処理２３４と相まって、低温流体３０の供給および排出により、低温流体３０の液位を実験条件に適合させる。
【手続補正１６】
【補正対象書類名】明細書
【補正対象項目名】００６１
【補正方法】変更
【補正の内容】
【００６１】
２  実験装置
４  第一管体部
６  第二管体部
８、８−１、８−２、８−３、８−４  締結部
１０  装置本体
１２  管本体
１４−１、１４−２、１４０、１４６  フランジ
１６  閉塞板
１８  加熱部
２０−１、２０−２、２０−３、２０−４、２０−５  温度検出部
２２  高温流体
２４  管本体
２６  閉塞板
２８  液位検出部
３０  低温流体
３２  導入ポート
３４、３４−１、３４−２  排出ポート
３６  仕切り板
３８−１、３８−２  ガスケット
４０、１４２  ボルト
４２、１４４  ナット
４４  開口部
４６  軸力検出部
５０  実験システム
５２  情報収集部
５４  処理部
５６  記憶部
５８  入力操作部
６０  情報提示部
６２  加熱制御部
６４  低温流体供給部
６６  低温流体調整部
６８  情報取込み処理
７０  タイミング生成
７２  読込み・読出し処理
７４  情報提示処理
７６  高温流体温度
７８  低温流体温度
８０−１、８０−２  フランジ温度
８２  ボルト温度
８４  検出軸力
９２  膨張管
９４  加熱側ヘッダー管
９６  冷却側ヘッダー管
９８  温度制御装置
１００  冷水タンク
１０２  補水管
１０３  ボールバルブ
１０４  冷水供給管
１０６  冷水循環ポンプ
１０８  ドレン管
１１０、１１４  バイパス管
１１２、１２２  安全弁
１１６  排水管
１１８  排水ピット
１２０  蒸気排出ポート
１２４  蒸気排出管
１２６  防護カバー
１２８  ドレン排出管
１３０  オーバーフロー排水管
１３２−１、１３２−２、１３２−３  温度センサー
１３４  圧力計
１３６  筐体
１３８  支柱部
１４８  軸部
１５０  歪みゲージ
１５２  リード部
１５４  頭部
１５６  熱伝対
１５８  データロガー
１６０  ＰＣ
１６２  モニター
１６４  プロセッサ
１６６  入出力部
１６８  加熱オイル温度情報ファイル
１７０  冷水温度情報ファイル
１７２−１、１７２−２  フランジ温度情報ファイル
１７４  ボルト温度情報ファイル
１７６  軸力情報ファイル
１８０  タッチパネル
１８２、１９２、２０２、２１０  識別情報部
１８４、１９４  名称部
１８６、１９６  材質部
１８８、１９８、２０６、２１４  時間部
１９０、２００、２０８、２１８  温度部
２０４、２１２  位置部
２１６  初期温度部
２２０  初期軸力部
２２２  軸力部
２２８−１、２２８−２  バルブ
２２６  配管系統
２３２  高温流体加熱処理
２３４  低温流体供給処理
２３６  液位調整処理
【手続補正１７】
【補正対象書類名】図面
【補正対象項目名】図３
【補正方法】変更
【補正の内容】
【図３】
2019200055.tif 000001
【手続補正１８】
【補正対象書類名】図面
【補正対象項目名】図９
【補正方法】変更
【補正の内容】
【図９】
2019200055.tif 000002